(57)【要約】【課題】映像表示装置に対してのさまざまな向きの設置に対応でき、もって良好な画像を表示することが可能な映像表示を実現することを目的とするものである。【解決手段】本発明は、左右方向の傾き角度を検出する角度センサ１５と、前後方向の傾き角度を検出する角度センサ１６とを備え、画面に、前記角度センサ１５、１６により検出される左右方向および前後方向の傾き角度を表示し、この表示を見ながら設置可能なように構成したものである。【選択図】図１
2009198742.tif 000002
【特許請求の範囲】
【請求項１】
左右方向の傾き角度を検出する角度センサと、
前後方向の傾き角度を検出する角度センサとを備え、
画面に、前記角度センサにより検出される左右方向および前後方向の傾き角度を表示し、この表示を見ながら設置可能なように構成した映像表示装置。
【発明の詳細な説明】
【技術分野】
【０００１】
本発明は映像表示装置に関し、特にＰＤＰ、ＬＣＤなど平板型の映像表示装置に関する。
【背景技術】
【０００２】
映像表示装置は、薄型化、大型化、高画質化、多機能化が進み、一般家庭におけるテレビ放送の視聴目的以外に、文教、金融、医療、ホテル、商業施設、官庁、自治体などの幅広い分野において、電子広告、あるいは、プレゼンテーションなどの用途で広く利用されている（例えば、特許文献１参照）。
【特許文献１】特開２００３−１３１５８０号公報
【発明の開示】
【発明が解決しようとする課題】
【０００３】
上述のように、映像表示装置の利用の態様が多様化するに従い、映像表示装置を設置するにあたっては、据置きスタンド、壁掛け金具、天吊り金具などのさまざまな固定具が用いられ、また、設置方向も、用途に応じてさまざまな向きでの設置がなされる。
【０００４】
本発明はこのような現状に鑑みてなされたものであり、映像表示装置に対してのさまざまな向きの設置に対応でき、もって良好な画像を表示することが可能な映像表示を実現することを目的とする。
【課題を解決するための手段】
【０００５】
上記目的を実現するために本発明の映像表示装置は、左右方向の傾き角度を検出する角度センサと、前後方向の傾き角度を検出する角度センサとを備え、画面に、前記角度センサにより検出される左右方向および前後方向の傾き角度を表示し、この表示を見ながら設置可能なように構成したものである。
【発明の効果】
【０００６】
本発明によれば、映像表示装置に対してのさまざまな向きの設置に対応でき、もって良好な画像を表示することが可能な映像表示を実現することができる。
【発明を実施するための最良の形態】
【０００７】
以下、本発明の一実施の形態による映像表示装置について図を用いて説明するが、本発明の実施の態様はこれに限定されるものではない。
【０００８】
図１は、本発明の一実施の形態による映像表示装置の概略構成を示すブロック図である。
【０００９】
１０は、本発明の一実施の形態による映像表示装置である。１１は、入力信号と、ＯＳＤメニューなどのオンスクリーン表示データ（以下、ＯＳＤメニューとする）に対して、所定の信号処理を施す信号処理回路である。１２は、信号処理回路１１で施された信号を映し出すＰＤＰあるいはＬＣＤなどの表示用のパネルである。１３は、メニュー画面の各項目の設定値などを格納するＲＡＭである。１４は、ＯＳＤメニューを構成するための素材と、表示位置のｘｙ座標値などが格納されたＲＯＭである。１５は、映像表示装置１０の左右方向の傾きの角度を検出するための角度センサである。１６は、映像表示装置１０前後方向の傾きの角度を検出するための角度センサである。
【００１０】
１７は、マイクロコンピュータであり、リモコンあるいは本体キーのキーコードを確定するキーコード確定手段２０と、ＯＳＤメニューの画面の各項目の設定値などを管理するデータ管理手段２１と、キーコード確定手段２０と、角度センサ１６から取得したデータより、傾斜角度表示モードか否かを判断する傾斜角度表示判定手段２２と、ＯＳＤメニューを生成するＯＳＤデータ生成手段２３と、データ管理手段２１と、角度センサ１５から取得したデータより、ＯＳＤメニューの左右方向への補正を行うか否かを判断するＯＳＤ左右方向補正判定手段２４と、ＯＳＤメニューの左右方向への補正を行うＯＳＤ左右方向補正手段２５と、データ管理手段２１と、角度センサ１６から取得したデータより、ＯＳＤメニューの前後方向への補正を行うか否かを判断するＯＳＤ前後方向補正判定手段２６と、ＯＳＤメニューの前後方向への補正を行うＯＳＤ前後方向補正手段２７と、ＯＳＤメニューを信号処理回路１１に送出するＯＳＤデータ送信手段２8とを備えた制御部である。
【００１１】
なお、図２（ａ）には映像表示装置１０が左右方向に傾いた状態を、図２（ｂ）には映像表示装置１０が前後方向に傾いた状態を、また図２（ｃ）には映像表示装置１０が左右方向には傾いておらず水平である状態を、また図２（ｄ）には映像表示装置１０が前後方向には傾いておらず垂直な状態を、それぞれ模式的に示す。なお、図２（ａ）、（ｃ）には映像表示装置１０の正面図を、図２（ｂ）、（ｄ）には映像表示装置１０の側面図を、それぞれ概略的に示している。
【００１２】
次に、本発明の一実施の形態による映像表示装置が表示するＯＳＤメニューの一例について以下、説明する。
【００１３】
まず、本発明の一実施の形態による映像表示装置は、図３に示すように、ＯＳＤメニュー４０を、映像表示装置１０の左右方向の傾きの角度に関わらず、常にある一定の角度、例えば水平方向（０度）を保った状態で表示を行う。
【００１４】
このような表示により、例えば、図４に示すような、ＯＳＤメニュー４０の表示の向きが映像表示装置１０の左右方向の傾きと同期して傾いてしまうという場合と比べて、ＯＳＤメニューの視認性を著しく向上させることができる。
【００１５】
以上のような表示は、映像表示装置１０の左右方向の傾きを、角度センサ（左右方向）１５により検出し、この検出結果に基づき、ＯＳＤメニューの左右方向の傾きをＯＳＤ左右方向補正手段２５により補正することによって実現が可能である。
【００１６】
なお、上述においては、角度センサ１５によるＯＳＤデータに対する補正は、映像信号、すなわち映像表示装置１０のパネル１２に表示される映像とは独立して行われるものであることから、例えば、映像表示装置１０の左右方向の傾きに対して、表示される映像は同期して傾かせ、ＯＳＤメニューは同期させずに、例えば水平状態を保ったまま表示させる、といった多様な表示が可能となる。
【００１７】
また、図５に示すように、ＰＤＰやＬＣＤ等のような平板型の映像表示装置１０は、その設置の形態が多種多様であり、それに従い、用途に応じたさまざまな向きでの設置がなされる。図５（ａ）は、映像表示装置１０を壁面・床面などに設置する例を、また、図５（ｂ）は、映像表示装置１０を天吊り状態に設置した例を、それぞれ模式的に示す図である。ここで図５（ａ）に示すように、壁掛け設置あるいは床面設置など、背丈ほどの比較的低い場所に設置されている場合であると、ＯＳＤメニューの表示内容が見づらいと感じた場合には映像表示装置１０に近づくことで、その見づらさを解消することができる。しかしながら、図５（ｂ）に示すように、映像表示装置１０を天吊り金具などの固定具を用いて建物の天井に設置している場合、映像表示装置１０に近づくことには限界があり、ＯＳＤメニューの視認性が悪くなるという課題が発生する場合があった。
【００１８】
それに加え、ＯＳＤメニューの大きさおよび表示位置は、壁掛け設置や床面設置などに適した大きさ・位置に、通常、設定されており、例えば図５（ｃ）に示すような、表示領域４１の略中央部に小さく表示されるようなＯＳＤメニュー４０であると、さらに視認性を悪くする原因となっていた。
【００１９】
そこで、本発明の一実施の形態による映像表示装置は、人と映像表示装置との距離が固定されてしまい、ＯＳＤメニューの大きさとの関係から、「見づらい」などの支障が生じるような、天吊り状態に設置される場合に、視認性が高まるようなＯＳＤメニューの表示に補正する、というものである。このような、表示としては、例えば、図６（ａ）に示すように、ＯＤＳメニュー４０を拡大して表示するということや、また図６（ｂ）に示すように、ＯＳＤメニュー４０を下方に表示することで、図６（ｃ）に示すように、人４４と映像表示装置１０との隔たりを、距離４２から距離４３（距離４２＞距離４３）に縮め、もってＯＳＤメニューの視認性を向上させるという表示を挙げることができる。
【００２０】
以上のような表示は、映像表示装置１０の前後方向の傾きを、角度センサ（左右方向）１６により検出し、この検出結果に基づき、ＯＳＤメニューをＯＳＤ前後方向補正手段２７により補正することによって実現が可能である。すなわち、映像表示装置１０が天吊り状態であるか否かを、角度センサ１６により前後方向の傾きを検出し、ある値以上の傾き角を検出した場合に天吊り状態であると自動的に判断するというものである。なお、手入力で天吊り状態である旨を入力してやるといったものでもかまわない。
【００２１】
以上、天吊り状態か否かを判断し、天吊り状態であると判断した場合には、ＯＳＤメニューの表示領域内での拡大および／または表示領域内での下方への表示位置の補正を行うので、ＯＳＤメニューの視認性を著しく向上させることができる。
【００２２】
次に、上述したようなＯＳＤメニューの表示を行うに際しての処理の流れについて説明する。
【００２３】
図７は、ＯＳＤメニューの表示を行うに際しての設定を行うための画面の一例を概略的に示すものである。
【００２４】
３０は設定画面の一例を模式的に示す図である。３１は、ＯＳＤメニューの左右方向の傾きに関するメニュー項目であり、映像表示装置の左右方向の傾きに対して、ＯＳＤメニューの表示の補正を行わないのか（オフ）行うのか、行うとした場合、その角度（例えば、水平状態とするのなら０度）を入力するものである。３２は、３１で選択できる項目を示すものである。
【００２５】
３３は、ＯＳＤメニューの前後方向の傾きに関するメニュー項目であり、映像表示装置の前後方向の傾きに対して、ＯＳＤメニューの表示の大きさを拡大したり、表示位置を下方方向に移動させたりすることを実行する（オン）か否か（オフ）を設定するものである。３４は、３３で選択できる項目を示すものである。
【００２６】
３５は、３３で映像表示装置の前後方向の傾きに対してＯＳＤメニューの表示を補正する（オン）とした場合の、補正範囲に関するメニュー項目であり、図１の角度センサ（前後方向）１６で検出した傾きの角度がいくらの範囲であれば、ＯＳＤメニューの補正を実行するかを設定するものである。３６は、３５で選択できる項目を示すものである。
【００２７】
なお、上述した設定画面３０での設定値は、データ管理手段２１に保存されるものである。また、図８は、ＯＳＤメニューの補正に際して、処理の流れを概略的に示すフローチャートである。
【００２８】
まず最初に、ＯＳＤデータを表示する旨を、例えばリモコンからのキーコードの送信などにより、指示する。
【００２９】
すると、ステップＳ１１においてキーコード確定手段２０（図１）がそのキーコードを認識する。次にステップＳ１２において、ＯＳＤデータ生成手段２３（図１）により、当該のＯＳＤメニューが生成される。
【００３０】
次にステップＳ１３において、図７のＯＳＤ左右方向傾き補正３１で設定されている値が“オフ” か、そうでないかを判断する。そして“オフ”ではなく、何らかの値が設定されている場合には、ステップＳ１４において、その設定されている値が、映像表示装置１０の左右方向の傾きの角度と一致するかを判定する。
【００３１】
そして、一致しない場合には、ステップＳ１５において、ＯＳＤメニューの左右方向の傾き補正処理を行い、その後、ステップＳ１６に進む。また、一致する場合には、補正処理を行わずにステップＳ１６に進む。
【００３２】
なお、上述のステップＳ１４の処理は省略して、ステップＳ１３において“オフ”でない場合には、常にステップＳ１５での補正処理を行い、その後、ステップＳ１６に進むという処理としてもかまわない。
【００３３】
また、ステップＳ１３において、ＯＳＤ左右方向傾き補正３１で設定されている値が“オフ”と判断された場合には、ＯＳＤメニューに対しての補正は行わず、ステップ１６に進む。
【００３４】
ステップＳ１６においては、ＯＳＤ前後方向傾き補正３３（図７）で設定されている値が“オン”であるか“オフ”であるかの判断を行う。“オフ”、すなわち補正を行わないと設定されていると判断される場合には、補正を行わずステップＳ１９に進む。
【００３５】
ステップＳ１６において、“オン”、すなわち補正を行うと設定されている場合には、ステップＳ１７において、現在の映像表示装置の前後方向の傾きの角度が、ＯＳＤ補正範囲３５（図７）で設定されている値の範囲内であるか否かを判断する。そして範囲外であると判断される場合には、補正を行わずにステップＳ１９に進み、範囲内である場合には、ステップＳ１８において、映像表示装置の前後方向の傾きに対するＯＳＤメニュー表示の補正が行われる。この際の補正は、例えば表示領域内でＯＳＤメニューなどのオンスクリーン表示データを拡大し、および／または、表示位置を下方方向に移動するというような、天吊り状態の際にもＯＳＤメニューの視認性を高める、というものである。
【００３６】
ステップＳ１９では、以上のステップＳ１１〜Ｓ１８を経たＯＳＤメニューを図１の信号処理回路１１に送出する。
【００３７】
なお、以上の説明において、左右方向、前後方向の傾きの角度は、角度センサ１５、１６により検出した値に基づくものである。
【００３８】
また、図５に示したように、ＰＤＰやＬＣＤ等のような平板型の映像表示装置１０は、その設置の形態が多種多様であり、それに従い、設置の方向も、用途に応じてさまざまな向きでの設置がなされることから、このような多種多様な映像表示装置の設置に対応する際には、その左右方向、前後方向の傾きの調整が必要となる。例えば、天吊り状態で設置するような場合、横方向には水平で且つ前後方向には、ある所定の角度に傾けて設置する、ということが必要となるが、このような設置の要求に対しては、従来、水準器などの測定器を用いて対応していたが、細かい傾き角度への対応は煩雑なものとなっていた。また、映像表示装置を壁面に対して前後方向に傾けて設置される場合にも、傾斜角度が決められるような固定具を使用しなかった場合には、測定器を用いて、設置仕様に対する正確な傾斜角度を測定しなければならなかった。
【００３９】
ここで、本発明の映像表示装置であれば角度センサを備えており、そこで、例えば図９に示すように、角度センサ１５、１６により検出した値をそれぞれ、左右方向の傾きの角度６０、前後方向の傾きの角度６１として映像表示装置１０の画面に表示するようにすれば、その値を見ながら映像表示装置１０の設置の際の左右方位、前後方向の傾きを調整できるので、設置の際の工数を大幅に削減することが可能となる。
【００４０】
このような、左右方向の傾きの角度、前後方向の傾きの角度を映像表示装置１０の画面へ表示するということについては、表示する旨のキーコードの入力を行い、そのキーコードを傾斜角度表示判定手段２２により判定し、そして画面への表示を行うということで実現が可能である。
【００４１】
また、このような用途の際には、設置に際して要求されている傾き角度を予め入力し、その上で、設置を行い、上記入力された値と現実の傾きの角度との差の度合いが視覚的に、例えばスケールなどで表示される、といったものとしてもかまわない。
【産業上の利用可能性】
【００４２】
本発明は、映像表示装置に対してのさまざまな向きの設置に対応でき、もって良好な画像を表示することが可能な映像表示を実現するのに有用である。
【図面の簡単な説明】
【００４３】
【図１】本発明の一実施の形態による映像表示装置の概略構成を示すブロック図
【図２】本発明の一実施の形態による映像表示装置の、左右方向、水平方向を概略的に示す図
【図３】本発明の一実施の形態による映像表示装置におけるＯＳＤメニューの表示の一例を概略的に示す図
【図４】映像表示装置におけるＯＳＤメニューの表示の一例を概略的に示す図
【図５】映像表示装置の設置の態様を概略的に示す図
【図６】本発明の一実施の形態による映像表示装置におけるＯＳＤメニューの表示の一例を概略的に示す図
【図７】本発明の一実施の形態による映像表示装置におけるＯＳＤメニューの表示を行うに際しての設定の画面の一例を概略的に示す図
【図８】本発明の一実施の形態による映像表示装置におけるＯＳＤメニューの補正の処理の流れの一例を概略的に示すフローチャート
【図９】本発明の一実施の形態による映像表示装置における画面表示の一例を概略的に示す図
【符号の説明】
【００４４】
１０  映像表示装置
１５  角度センサ（左右方向）
１６  角度センサ（前後方向）
４０  ＯＳＤメニュー
【図１】
2009198742.tif 000003
【図２】
2009198742.tif 000004
【図３】
2009198742.tif 000005
【図４】
2009198742.tif 000006
【図５】
2009198742.tif 000007
【図６】
2009198742.tif 000008
【図７】
2009198742.tif 000009
【図８】
2009198742.tif 000010
【図９】
2009198742.tif 000011